【事件の表示】
　特願２００７−３２０４８４「自動二輪車用の永久磁石式の三相交流発電機」拒絶査定不服審判事件〔平成２１年　７月　２日出願公開、特開２００９−１４８０２０〕について、次のとおり審決する。
【結　論】
　本件審判の請求は、成り立たない。
【理　由】
１．手続の経緯
　本願は、平成１９年１２月１２日の出願であって、平成２４年４月２日付で拒絶の理由が通知され（発送日：平成２４年４月５日）、これに対し、平成２４年６月４日付で意見書及び手続補正書が提出されたが、平成２５年１月１８日付で拒絶査定がなされ（発送日：平成２５年１月２４日）、これに対し、平成２５年４月２３日に拒絶査定不服審判の請求がなさたものである。
　
　
２．本願発明
　本願の請求項１に係る発明（以下、「本願発明」という。）は、平成２４年６月４日付手続補正書の特許請求の範囲の請求項１に記載された事項により特定される、以下のとおりのものである。
　
「円筒状をし、内周面に交互に異極になった永久磁石が周回り方向に取付けられると共に、エンジン側の出力軸に連結されたアウタロータと、該アウタロータに内装され、周回り方向に角度を存して突設したティースにステータコイルが巻装されたステータコアとを備え、
　前記アウタロータが、エンジン側の駆動によって回転することにより発電する自動二輪車用の永久磁石式の三相交流発電機において、
　前記ステータコイルは、Ｕ相、Ｖ相、Ｗ相からなる三相で、Ｕ相とＶ相のステータコイル端同士、Ｖ相とＷ相のステータコイル端同士、かつＷ相とＵ相のステータコイル端同士がそれぞれ結線されることでΔ結線されたものであり、
　該ステータコイルは、あいだに二相おいたティースに順次巻装したものであり、
　前記ティースの数Ｎは
　　Ｎ＝３×ｎ　　　但し、ｎは２以上の自然数
で定義され、
　ｎの約数Ｘを１を含むがｎは含まない数としたときに、
　前記ステータコアには、ティースに巻装されるステータコイルの数がそれぞれＸ個ずつになるΔ結線群がｎ÷Ｘ個形成されるものとし、
　これら形成されるΔ結線群を並列接続したことを特徴とする自動二輪車用の永久磁石式の三相交流発電機。」
　
　
３．引用例
　これに対して、原査定の理由に引用された特開２０００−１９７３９２号公報（以下、「引用例」という。）には、図面と共に、以下の事項が記載されている。
　
ａ「この発明は、風力によって回転するプロペラの回転を駆動源とする風力発電装置に関する。」（【0001】）
　
ｂ「図２は、多極発電機２３０の構造を説明する縦断面図である。図１のプロペラ２２０に接続されているシャフト２２１は、一対の軸受２２２を介して本体２９０側に支持されている。シャフト２２１には、筒状回転体２２３が固定されており、この筒状回転体２２３の内周面には、４極のロータ２２４が固定されている。一方、本体２９０の外周面には、ロータ２２４に対向して３相６極のステータ２２５が固定されている。
　図３は、ロータ２２４及びステータ２２５の配置を説明する横断面図である。ロータ２２４は、円周上の４方向に均等に配置された４つの永久磁石２２４ａ、２２４ｂ、２２４ｃ、２２４ｄを備える。これらの永久磁石２２４ａ〜２２４ｄは、隣接するもの同士で極性が入れ替わるように配置されている。ステータ２２５は、外周の６方向に均等な配置で形成された６極のステータコアＵａ、Ｖａ、Ｗａ、Ｕｂ、Ｖｂ、Ｗｂを備える。各ステータコアＵａ、Ｖａ、Ｗａ、Ｕｂ、Ｖｂ、Ｗｂには、それぞれ磁気発生用の巻線コイルＵａ、Ｖａ、Ｗａ、Ｕｂ、Ｖｂ、Ｗｂが巻き回されてこれに保持されている。」（【0011】−【0012】）
　
ｃ「図５（ｄ）は、対向配置された巻線コイルを並列に結線した３相のコイル（すなわち、第１コイルＵａ、Ｕｂ、第２コイルＶａ、Ｖｂ、第３コイルＷａ、Ｗｂ）をデルタ接続したものである。」（【0014】）
　
ｄ「一方、図５（ｄ）〔注：（ｂ）は誤記〕の並列デルタ結線は、強風・高回転状態に対応し、結線切替回路２４０からの出力は低電圧高電流タイプとなる。」（【0015】）
　
　上記記載及び図面に基づけば、多極発電機は突極のティースを有するアウタロータ形である。
　
　上記記載事項からみて、引用例には、
「筒状回転体の内周面に隣接するもの同士で極性が入れ替わるように配置された永久磁石が円周上に均等に配置されると共に、プロペラに接続されるシャフトに固定されたアウタロータと、該アウタロータに内装され、外周に均等な配置で形成された突極のティースに巻線コイルが巻き回されたステータコアとを備え、
　前記アウタロータが、プロペラの回転を駆動源とすることにより発電する風力発電装置用の永久磁石式の３相多極発電機において、
　前記巻線コイルは、Ｕ相、Ｖ相、Ｗ相からなる三相でデルタ結線されたものであり、
　該巻線コイルは、突極のティースにＵａ、Ｖａ、Ｗａ、Ｕｂ、Ｖｂ、Ｗｂが巻き回されたものであり、
　前記突極のティースの数は６であり、
　前記ステータコアには、突極のティースに巻き回される巻線コイルの数がそれぞれ１個ずつになるデルタ結線を２個形成されるものとし、
　これら形成される２個のデルタ結線を並列接続した風力発電装置用の永久磁石式の３相多極発電機。」
との発明（以下、「引用発明」という。）が記載されている。
　
　
４．対比 
　本願発明と引用発明とを対比すると、引用発明の「シャフト」、「固定された」、「突極のティース」、「巻線コイル」、「巻き回された」、「３相多極発電機」、「デルタ結線」は、それぞれ本願発明の「出力軸」、「連結された」、「突設したティース」又は「ティース」、「ステータコイル」、「巻装された」、「三相交流発電機」、「Δ結線」に相当する。
　
　その機能をも考慮すると、引用発明の「筒状回転体の内周面に隣接するもの同士で極性が入れ替わるように配置された」は、本願発明の「円筒状をし、内周面に交互に異極になった」に相当し、引用発明の「円周上に均等に配置される」は、本願発明の「周回り方向に取付けられる」に相当し、引用発明の「シャフトに固定された」は、本願発明の「出力軸に連結された」に相当し、引用発明の「外周に均等な配置で形成された」は、本願発明の「周回り方向に角度を存して」に相当し、引用発明の「回転を駆動源とする」は、本願発明の「駆動によって回転する」に相当し、引用発明の「Ｕ相、Ｖ相、Ｗ相からなる三相でデルタ結線されたもの」は、本願発明の「Ｕ相、Ｖ相、Ｗ相からなる三相で、Ｕ相とＶ相のステータコイル端同士、Ｖ相とＷ相のステータコイル端同士、かつＷ相とＵ相のステータコイル端同士がそれぞれ結線されることでΔ結線されたもの」に相当し、引用発明の「突極のティースにＵａ、Ｖａ、Ｗａ、Ｕｂ、Ｖｂ、Ｗｂが巻き回されたもの」は、本願発明の「あいだに二相おいたティースに順次巻装したもの」に相当する。
　
　引用発明の突極のティースの数は６＝３×２であり、ステータコアには、突極のティースに巻き回される巻線コイルの数がそれぞれ１個ずつになるデルタ結線を２÷１個形成され、これら形成される２個のデルタ結線を並列接続しているから、引用発明の「前記突極のティースの数は６であり、前記ステータコアには、突極のティースに巻き回される巻線コイルの数がそれぞれ１個ずつになるデルタ結線を２個形成されるものとし、これら形成される２個のデルタ結線を並列接続した」は、本願発明の「前記ティースの数Ｎは　Ｎ＝３×ｎ　　但し、ｎは２以上の自然数で定義され、ｎの約数Ｘを１を含むがｎは含まない数としたときに、前記ステータコアには、ティースに巻装されるステータコイルの数がそれぞれＸ個ずつになるΔ結線群がｎ÷Ｘ個形成されるものとし、これら形成されるΔ結線群を並列接続した」に相当する。
　
　したがって、両者は、
「円筒状をし、内周面に交互に異極になった永久磁石が周回り方向に取付けられると共に、出力軸に連結されたアウタロータと、該アウタロータに内装され、周回り方向に角度を存して突設したティースにステータコイルが巻装されたステータコアとを備え、
　前記アウタロータが、駆動によって回転することにより発電する永久磁石式の三相交流発電機において、
　前記ステータコイルは、Ｕ相、Ｖ相、Ｗ相からなる三相で、Ｕ相とＶ相のステータコイル端同士、Ｖ相とＷ相のステータコイル端同士、かつＷ相とＵ相のステータコイル端同士がそれぞれ結線されることでΔ結線されたものであり、
　該ステータコイルは、あいだに二相おいたティースに順次巻装したものであり、
　前記ティースの数Ｎは
　　Ｎ＝３×ｎ　　　但し、ｎは２以上の自然数
で定義され、
　ｎの約数Ｘを１を含むがｎは含まない数としたときに、
　前記ステータコアには、ティースに巻装されるステータコイルの数がそれぞれＸ個ずつになるΔ結線群がｎ÷Ｘ個形成されるものとし、
　これら形成されるΔ結線群を並列接続した永久磁石式の三相交流発電機。」
の点で一致し、以下の点で相違している。
　
〔相違点〕 
　本願発明は、自動二輪車用の永久磁石式の三相交流発電機であって、アウタロータがエンジン側の出力軸に連結されエンジン側の駆動によって回転するのに対し、引用発明は、風力発電装置用の永久磁石式の三相交流発電機であって、アウタロータがプロペラに接続される出力軸に連結されプロペラの駆動によって回転する点。
　
　
５．判断 
　「円筒状をし、内周面に交互に異極になった永久磁石が周回り方向に取付けられると共に、エンジン側の出力軸に連結されたアウタロータと、該アウタロータに内装され、周回り方向に角度を存して突設したティースにステータコイルが巻装されたステータコアとを備え、前記アウタロータが、エンジン側の駆動によって回転することにより発電する自動二輪車用の永久磁石式の三相交流発電機において、前記ステータコイルは、Ｕ相、Ｖ相、Ｗ相からなる三相で、Ｕ相とＶ相のステータコイル端同士、Ｖ相とＷ相のステータコイル端同士、かつＷ相とＵ相のステータコイル端同士がそれぞれ結線されることでΔ結線されたもの」は周知のもの（必要があれば特開２００３−１３４７６９号公報【請求項５】、【0003】、【0025】、図面等参照、特開平９−１７２７６０号公報【0001】、【0015】、図面等参照）である。
　また、アウタロータ形の永久磁石式三相交流発電機を、風力発電機用としても車両用としても用いることは、原査定において挙げた特開２００７−２８８９１７号公報等にもみられるように周知の事項である。
　更に、回転電機の三相巻線は、通常スター結線かデルタ結線であり、デルタ結線を並列接続したものは二重デルタ結線（特開平５−３００７１０号公報【0007】）と称呼されている。
　一般に、電気回路を並列接続すれば当該電気回路の電流容量は大きくなる。また、デルタ結線を大電流用とするために、二重デルタ結線とすることは例えば特開２００６−１９７６７４号公報（【0004】、【0006】参照）にもみられるように周知の事項であり、当該事項は上記ｄにも記載されている。
　本願発明の解決しようとする課題は、通電抵抗を減らし、コイル径を太くせずにコイル巻数を確保すること（【0003】）であり、解決するための手段は、Δ結線群を並列接続すること（【0004】）であるが、当該解決するための手段は、上記のように特開２００６−１９７６７４号公報にもみられるように周知の事項であり、当該事項は上記ｄにも記載されているから、永久磁石式三相交流発電機において、巻線をΔ結線群として並列接続することにより、本願発明の課題は解決されているのであり、用途が自動二輪車用であるか風力発電装置であるかで、この点異なるものとはいえない。
　そうであれば、引用発明の永久磁石式の三相交流発電機の用途を風力発電装置用から自動二輪車用とすることは、当業者であれば容易に考えられることと認められる。永久磁石式の三相交流発電機の用途が自動二輪車用であれば、当然にアウタロータがエンジン側の出力軸に連結されエンジン側の駆動によって回転することとなる。
　
　そして、本願発明の作用効果も、引用発明から当業者が予測できる範囲のものである。
　したがって、本願発明は、引用発明に基いて当業者が容易に発明をすることができたものである。
　
　
６．むすび 
　以上のとおり、本願発明は、引用発明に基いて当業者が容易に発明をすることができたものであるから、特許法第２９条第２項の規定により特許を受けることができない。
　したがって、その余の請求項に係る発明について検討するまでもなく、本願は拒絶されるべきものである。
　よって、結論のとおり審決する。